(57)【要約】      （修正有）【課題】断熱箱体の外側表面に生じる結露の抑制と貯蔵室内への熱漏洩の低減を両立することができる冷蔵庫を提供する。【解決手段】内箱３と外箱２と内箱３及び外箱２の間に形成された断熱空間に配設された断熱材４とを有し内箱３の内部に貯蔵室６，７が形成された断熱箱体５と、圧縮機２１と凝縮器２４と絞り装置と冷却器８，１０とを冷媒パイプで接続した冷凍サイクルと、冷凍サイクルの高温側の冷媒パイプの一部を構成し外箱２の断熱空間側に沿わせて設けられた放熱パイプと、圧縮機２１を冷却する放熱ファン１４と、冷蔵庫１の設置雰囲気の湿度を検出する湿度センサ１８と、冷凍サイクル及び放熱ファン１４を制御する制御部とを備え、制御部は、圧縮機２１の動作中に湿度センサ１８で検出された湿度に基づいて放熱ファン１４の回転速度を制御する。【選択図】図１
2017040398.tif 000002
【特許請求の範囲】
【請求項１】
内箱と外箱と前記内箱及び前記外箱の間に形成された断熱空間に配設された断熱材とを有し前記内箱の内部に貯蔵室が形成された断熱箱体と、圧縮機と凝縮器と絞り装置と冷却器とを冷媒パイプで接続した冷凍サイクルと、前記冷凍サイクルの高温側の冷媒パイプの一部を構成し前記外箱の断熱空間側に沿わせて設けられた放熱パイプと、前記圧縮機を冷却する放熱ファンと、冷蔵庫の設置雰囲気の湿度を検出する湿度センサと、前記冷凍サイクル及び放熱ファンを制御する制御部とを備え、
前記制御部は、前記圧縮機の動作中に前記湿度センサで検出された湿度に基づいて前記放熱ファンの回転速度を制御する冷蔵庫。
【請求項２】
前記制御部は、前記圧縮機の動作中に前記湿度センサで検出された湿度が第１所定湿度以上であると、前記放熱ファンの回転速度を低下又は前記放熱ファンを停止させる請求項１に記載の冷蔵庫。
【請求項３】
前記制御部は、前記圧縮機が所定値以上の運転周波数で動作していると、前記湿度センサで検出された湿度が第１所定湿度以上であっても前記放熱ファンの回転速度を低下又は前記放熱ファンを停止させない請求項２に記載の冷蔵庫。
【請求項４】
前記貯蔵室内の温度が上限温度に達すると前記圧縮機を動作させて前記貯蔵室を冷却し、前記貯蔵室内の温度が下限温度に達すると前記圧縮機を停止又他の貯蔵室を冷却する冷蔵庫であって、
前記制御部は、前記湿度センサで検出された湿度が前記第１所定湿度より高湿度である第２所定湿度以上であると、前記上限温度と前記下限温度との温度差を小さくする請求項２又は３に記載の冷蔵庫。
【請求項５】
冷蔵庫の設置雰囲気の温度を検出する温度センサと、前記圧縮機が収納された機械室と、前記機械室に収納され前記冷却器で生じた除霜水を貯水する蒸発皿とを備え、
前記制御部は、前記圧縮機の動作中に前記温度センサで検出された温度が前記所定温度以下であって前記湿度センサで検出された湿度が第１所定湿度以上であると、前記放熱ファンの回転速度を低下又は前記放熱ファンを停止させ、前記圧縮機が停止すると前記圧縮機の停止から所定時間だけ前記放熱ファンを動作させる請求項２〜４のいずれか１項に記載の冷蔵庫。
【発明の詳細な説明】
【技術分野】
【０００１】
本発明の実施形態は、冷蔵庫に関する。
【背景技術】
【０００２】
従来、冷蔵庫では、冷凍サイクルの一部を構成する高温の冷媒が流れる冷媒パイプを放熱パイプとして冷蔵庫の開口部の周囲や冷蔵庫本体の側面などに設け、放熱パイプの熱によって冷蔵庫の開口部の周囲や冷蔵庫本体の側面を加温することで、外気と冷蔵庫内との温度差によって冷蔵庫本体の表面に生じる結露を抑制している（例えば、下記特許文献１参照）。
【０００３】
しかしながら、冷凍サイクルは外気と冷蔵庫内との温度差に関わらず貯蔵室の温度によって制御されるため、上記のような放熱パイプを備えた冷蔵庫では、冷蔵庫本体の外側表面温度を設置雰囲気に応じた適切な温度に保つことが困難となり、冷蔵庫本体の外側表面の加熱が不足して結露が発生したり、冷蔵庫本体の外側表面が必要以上に加熱され庫内への熱漏洩が増大したりするおそれがあり、結露の抑制と貯蔵室内への熱漏洩の低減を両立することが困難である。
【先行技術文献】
【特許文献】
【０００４】
【特許文献１】特開２０１０−３８５２８号公報
【発明の概要】
【発明が解決しようとする課題】
【０００５】
そこで、冷蔵庫本体に冷凍サイクルの一部を構成する放熱パイプを設けて冷蔵庫本体の表面に生じる結露を抑制する冷蔵庫において、断熱箱体の外側表面温度を冷蔵庫の設置雰囲気に応じた適切な温度に保つことができ、結露の抑制と貯蔵室内への熱漏洩の低減を両立することができる冷蔵庫を提供することを目的とする。
【課題を解決するための手段】
【０００６】
本実施形態に係る冷蔵庫は、内箱と外箱と前記内箱及び前記外箱の間に形成された断熱空間に配設された断熱材とを有し前記内箱の内部に貯蔵室が形成された断熱箱体と、圧縮機と凝縮器と絞り装置と冷却器とを冷媒パイプで接続した冷凍サイクルと、前記冷凍サイクルの高温側の冷媒パイプの一部を構成し前記外箱の断熱空間側に沿わせて設けられた放熱パイプと、前記圧縮機を冷却する放熱ファンと、冷蔵庫の設置雰囲気の湿度を検出する湿度センサと、前記冷凍サイクル及び放熱ファンを制御する制御部とを備え、前記制御部は、前記圧縮機の動作中に前記湿度センサで検出された湿度に基づいて前記放熱ファンの回転速度を制御するものである。
【図面の簡単な説明】
【０００７】
【図１】第１実施形態に係る冷蔵庫の縦断面図である。
【図２】図１に示す冷蔵庫の冷凍サイクルを示す図である。
【図３】図１に示す冷蔵庫の電気構成を示すブロック図である。
【発明を実施するための形態】
【０００８】
（第１実施形態）
以下、図面に基づき本発明の第１実施形態について説明する。
【０００９】
図１に示すように、本実施形態に係る冷蔵庫１は、鋼板製の外箱２と合成樹脂製の内箱３との間に形成された断熱空間に断熱材４を設けた冷蔵庫本体（断熱箱体）５の内部に複数の貯蔵空間を形成し、断熱箱体５に組み込まれた冷凍サイクル２０によって貯蔵空間内を冷却するように構成されている。冷蔵庫１の貯蔵空間は、仕切壁によって上下に区画され、上方空間に冷蔵室と野菜室を上下に配置した冷蔵貯蔵室６が設けられ、下方空間に冷凍室や製氷室などからなる冷凍貯蔵室７が設けられている。
【００１０】
冷蔵貯蔵室６の背面には、冷蔵貯蔵室６の庫内温度を検出する冷蔵温度センサ１６が設けられ、冷凍貯蔵室７の背面には、冷凍貯蔵室７の庫内温度を検出する冷凍温度センサ１７が設けられている。
【００１１】
各貯蔵室６，７の前面開口部は、扉によって閉塞されている。冷凍貯蔵室７の上段部分に設けられた冷蔵室の前面開口部を閉塞する扉には、冷蔵庫１の設置雰囲気の湿度を検出する湿度センサ１８と、冷蔵庫１の設置雰囲気の温度（庫外温度）を検出する庫外温度センサ１９とが設けられている。
【００１２】
貯蔵空間の後部には、冷蔵貯蔵室６を冷却するための冷蔵冷却器８と、冷蔵貯蔵室６の冷気を循環するための冷蔵ファン９と、冷凍貯蔵室７を冷却するための冷凍冷却器１０と、冷凍貯蔵室７の冷気を循環するための冷凍ファン１１が設けられている。各貯蔵室は、冷蔵冷却器８及び冷凍冷却器１０と、冷蔵ファン９及び冷凍ファン１１によってそれぞれ所定の設定温度に冷却保持されるものであり、各冷却器８，１０は、断熱箱体５の背面下部の機械室１２に設置した圧縮機２１から供給される冷媒によって冷却される。
【００１３】
冷蔵庫１の断熱箱体５に組み込まれた冷凍サイクル２０は、図２に示すように、高温高圧の冷媒ガスを吐出する圧縮機２１の吐出側から順番に、デリベリパイプ（蒸発パイプ）２２、凝縮器２４、放熱パイプ２６、ドライヤ３０、および三方弁３２の入口側が冷媒パイプにより接続されている。デリベリパイプ２２や、放熱パイプ２６や、ドライヤ３０と三方弁３２の入口側とを接続する冷媒パイプは、絞り装置としての冷蔵キャピラリチューブ３４や冷凍キャピラリチューブ４０で冷媒が減圧される前の液体冷媒が流通する高温側冷媒パイプの一部を構成する。
【００１４】
三方弁３２の一方の出口には、冷蔵キャピラリチューブ３４と、冷蔵冷却器８と、冷蔵アキュムレータ３６および冷蔵サクションパイプ３８が、冷媒パイプにより順に接続されている。三方弁３２の他方の出口には、冷凍キャピラリチューブ４０、冷凍冷却器１０、冷凍アキュムレータ４２、及び冷凍サクションパイプ４４が冷媒パイプにより順に接続されている。なお、符号４９は、冷凍サクションパイプ４４に設けられた逆止弁である。
【００１５】
冷凍サイクル２０を構成する圧縮機２１、デリベリパイプ２２、及び凝縮器２４は、断熱箱体５の背面下部を上方に陥没させて形成した機械室１２内に収納されている。具体的には、機械室１２の幅方向一方側には、防振ゴムを介して能力可変型の圧縮機２１が載置されている。また、機械室１２の幅方向他方側には、機械室１２の前方を区画する前壁に沿って形成されたダクト１３と、ダクト１３の内部に収納された凝縮器２４と、凝縮器２４の後方に位置する放熱ファン１４とが設けられている。そして、放熱ファン１４の駆動により、庫外の空気が、断熱箱体５の前方から断熱箱体５の底面と冷蔵庫１の設置面との隙間を通って後方に流れ、機械室１２の下方に開口する吸込口１２ａからダクト１３を介して機械室１２へ取り込まれ、凝縮器２４及び圧縮機２１へ送風されこれらを冷却する。また、機械室１２には、除霜運転時に冷蔵冷却器８及び冷凍冷却器１０から生じた除霜水が不図示の排水経路を介して流れ込む蒸発皿１５が設けられている。蒸発皿１５は、冷蔵冷却器８及び冷凍冷却器１０で発生した除霜水を機械室１２で貯水し、機械室１２に設けられた圧縮機２１及び凝縮器２４の熱や放熱ファン１４による風によって貯水した除霜水を蒸発させる。
【００１６】
放熱パイプ２６は、機械室１２から外箱２を貫通して断熱箱体５の断熱空間内へ進入し、外箱２の断熱空間側に接触させ外箱２と熱交換するように設けられている。この例では、機械室１２から断熱箱体５の断熱空間内へ進入した放熱パイプ２６は、断熱箱体５の背壁、左右側壁、天井壁、及び貯蔵室６，７の前面開口部の周縁部に設けられ、放熱パイプ２６を流れる冷媒の熱によって断熱箱体５の壁面や貯蔵室６，７の開口部の周囲を加温することで結露を抑制している。
【００１７】
三方弁３２は、凝縮器２４で液化した冷媒を、冷蔵冷却器８と冷凍冷却器１０に対して交互に供給するように流路を切り替える切替弁であり、冷蔵キャピラリチューブ３４を介して低温の冷媒を冷蔵冷却器８に供給する冷蔵冷却運転の状態と、冷蔵冷却器８に供給せずに冷凍キャピラリチューブ４０を介して冷凍冷却器１０に供給する冷凍冷却運転の状態とに、切り替える。
【００１８】
冷凍サイクル２０は、サイクル内に封入された冷媒が、圧縮機２１で圧縮されて高温高圧の気体状の冷媒に変化し、デリベリパイプ２２を介して凝縮器２４に流れ込み放熱しながら凝縮器２４及び放熱パイプ２６を流れる。凝縮器２４及び放熱パイプ２６を流れた液体状の冷媒は、三方弁３２によって冷蔵キャピラリチューブ３４又は冷凍キャピラリチューブ４０に送られ、各キャピラリチューブ３４，４０で気化し易いように減圧され、その後に冷蔵冷却器８又は冷凍冷却器１０で気化し、周囲から熱を奪うことにより冷蔵冷却器８及び冷凍冷却器１０を冷却し冷気が発生する。冷蔵冷却器８及び冷凍冷却器１０を流れた冷媒は、各アキュムレータ３６、４２にそれぞれ流れ、各アキュムレータ３６、４２では気液混合体状の冷媒を気体状の冷媒と液体状の冷媒とにそれぞれ分離し、気体状の冷媒が各サクションパイプ３８，４４を経て圧縮機２１へ戻り、再び圧縮され高温高圧の気体状の冷媒となる。
【００１９】
断熱箱体５の背面上部に設けられた制御部５０は、例えばマイクロコンピュータとメモリを備え、図３に示すように、冷蔵温度センサ１６、冷凍温度センサ１７、湿度センサ１８、庫外温度センサ１９、冷蔵ファン９、冷凍ファン１１、放熱ファン１４、及び圧縮機２１が接続されており、各種センサ１６，１７，１８，１９から入力される検出信号と予めメモリに記憶された制御プログラムに基づいて冷蔵ファン９、冷凍ファン１１、及び放熱ファン１４の回転速度や圧縮機２１の運転周波数や三方弁３２を制御して冷蔵庫１の動作全般を制御する。
【００２０】
具体的には、制御部５０は、冷蔵温度センサ１６による冷蔵貯蔵室６の庫内温度の検出値ＴＲが冷蔵上限温度ＴＲｏｎ（例えば、ＴＲｏｎ＝４．５℃）より大きい場合に冷蔵貯蔵室６内を冷却する冷蔵モードを実行する。冷蔵モードでは、圧縮機２１を動作させ、三方弁３２を切り替えて冷蔵冷却器８に冷媒が流れるようにするとともに、冷蔵ファン９及び放熱ファン１４を運転させることで、冷蔵冷却器８で冷却された空気を冷蔵貯蔵室６に供給して冷蔵貯蔵室６内を冷却する。そして、冷蔵温度センサ１６の検出値ＴＲが冷蔵下限温度ＴＲｏｆｆ（例えば、ＴＲｏｆｆ＝１．５℃）以下に達すると制御部５０は冷蔵モードを終了する。
【００２１】
また、制御部５０は、冷凍温度センサ１７による冷凍貯蔵室７の庫内温度の検出値ＴＦが冷凍上限温度ＴＦｏｎ（例えば、ＴＦｏｎ＝−１６℃）より大きい場合に冷凍貯蔵室７内を冷却する冷凍モードを実行する。冷凍モードでは、圧縮機２１を動作させ、三方弁３２を切り替えて冷凍冷却器１０に冷媒が流れるようにするとともに、冷凍ファン１１及び放熱ファン１４を運転させることで、冷凍冷却器１０で冷却された空気を冷凍貯蔵室７に供給して冷凍貯蔵室７内を冷却する。そして、冷凍温度センサ１７の検出値ＴＦが冷凍下限温度ＴＦｏｆｆ（例えば、ＴＦｏｆｆ＝−−２０℃）以下に達すると制御部５０は冷凍モードを終了する。
【００２２】
そして、制御部５０は、冷蔵温度センサ１６の検出値ＴＲと冷凍温度センサ１７の検出値ＴＦが、冷蔵下限温度ＴＲｏｆｆ以下と冷凍下限温度ＴＦｏｆｆ以下になったり、あるいは、冷蔵冷却器８や冷凍冷却器１０の除霜運転を実行中など、所定の条件を満たすと、圧縮機２１を停止するとともに、冷蔵ファン９、冷凍ファン１１及び放熱ファン１４も停止させる。
【００２３】
上記した冷蔵モード及び冷凍モードでは、冷凍サイクル２０内を冷媒が循環するため、放熱パイプ２６を流通する冷媒の熱により外箱２が加熱され、断熱箱体５の外側における結露を抑制する。
【００２４】
このような構成の冷蔵庫１では、上記した冷蔵モード及び冷凍モードの際に冷凍サイクル２０内を冷媒が循環するため、放熱パイプ２６を流通する冷媒の熱により外箱２が加熱され、断熱箱体５の外側における結露を抑制する。その際、制御部５０は、冷蔵室を閉塞する扉に設けられた湿度センサ１８の検出値Ｈに基づいて、放熱ファン１４の回転速度を制御する。
【００２５】
詳細には、制御部５０は、冷蔵モード及び冷凍モードの際に、冷蔵室を閉塞する扉に設けられた湿度センサ１８の検出値Ｈが所定値Ｈｔｈ（例えば、Ｈｔｈ＝７０％）未満であれば、放熱ファン１４を第１回転速度Ｒ１（例えば、Ｒ１＝１０００〜１１００ｒｐｍ）で回転させ、湿度センサ１８の検出値Ｈが所定値Ｈｔｈ以上であれば、放熱ファン１４を第１回転速度Ｒ１より低速度の第２回転速度Ｒ２（例えば、Ｒ２＝８００〜９００ｒｐｍ）で回転させる。なお、ここでは湿度センサ１８の検出値Ｈが所定値Ｈｔｈ以上の時に、放熱ファン１４を第１回転速度Ｒ１より低速度で回転させる場合について説明するが、例えば、圧縮機２１や機械室１２内の温度が低い時などでは放熱ファン１４を停止させてもよい。
【００２６】
以上のような本実施形態の冷蔵庫１では、冷蔵庫１の設置雰囲気の湿度が低く断熱箱体５の外側に結露が生じにくい状況下では、放熱ファン１４を所定の回転速度で回転させ圧縮機２１や凝縮器２４を冷却することで、放熱パイプ２６を流通する冷媒の温度が必要以上に高くなりすぎて庫内への熱漏洩が増大するのを抑え、冷蔵庫１の設置雰囲気の湿度が高く断熱箱体５の外側に結露が生じやすい状況下では、湿度が低い時に比べて放熱ファン１４の回転速度を低下させたり放熱ファン１４を停止させ圧縮機２１や凝縮器２４の冷却を抑えることで、放熱パイプ２６を流通する冷媒の温度を上昇させ結露の発生を抑えることができる。したがって、本実施形態では、断熱箱体５の外側表面温度を冷蔵庫の設置雰囲気に応じた適切な温度に保つことができ、結露の抑制と貯蔵室内への熱漏洩の低減を両立することができる。
【００２７】
しかも、本実施形態では、従前から冷蔵庫に設けられている放熱ファン１４の回転速度によって放熱パイプ２６の温度を制御することができるため、新たに機器を設ける必要がなく簡便に結露の抑制と貯蔵室内への熱漏洩の低減を両立することができる。
【００２８】
（第２実施形態）
次に、本発明の第２実施形態について説明する。上記の第１実施形態では、圧縮機２１の運転周波数に関わらず湿度センサ１８の検出値Ｈが所定値Ｈｔｈ以上であれば、放熱ファン１４を第１回転速度Ｒ１より低速度の第２回転速度Ｒ２で回転させる場合について説明したが、本実施形態では、圧縮機２１の運転周波数が所定周波数Ｆ（例えば、３０Ｈｚ）以上で運転している場合、湿度センサ１８の検出値Ｈが所定値Ｈｔｈ以上であっても、放熱ファン１４を第１回転速度Ｒ１で回転させる。
【００２９】
具体的には、制御部５０は、冷蔵モード及び冷凍モードの際に湿度センサ１８の検出値Ｈが所定値Ｈｔｈ未満であれば、放熱ファン１４を第１回転速度Ｒ１で回転させる。一方、湿度センサ１８の検出値Ｈが所定値Ｈｔｈ以上の場合、制御部５０は、圧縮機２１の運転周波数が所定周波数Ｆ未満であれば、放熱ファン１４を第１回転速度Ｒ１より低速度の第２回転速度Ｒ２で回転させ、圧縮機２１の運転周波数が所定周波数Ｆ以上であれば、放熱ファン１４を第２回転速度Ｒ２に低速化せず第１回転速度Ｒ１で回転させる。
【００３０】
本実施形態では、圧縮機２１の運転周波数が所定周波数Ｆ以上で運転しており、圧縮機２１及び凝縮器２４の温度や放熱パイプ２６等の高温側冷媒パイプを流れる冷媒の温度が高くなりやすい場合に、湿度センサ１８の検出値Ｈが所定値Ｈｔｈ以上であっても、放熱ファン１４を第２回転速度Ｒ２に低速化することなく第１回転速度Ｒ１で回転させるため、圧縮機２１や放熱パイプ２６等の過熱を防止することができる。なお、その他の構成及び作用効果は第１の実施形態と同様であり、詳細な説明は省略する。
【００３１】
（第３実施形態）
次に、本発明の第３実施形態について説明する。上記の第１実施形態では、湿度センサ１８の検出値Ｈが所定値Ｈｔｈ以上であれば、放熱ファン１４を第１回転速度Ｒ１より低速度の第２回転速度Ｒ２で回転させる場合について説明したが、本実施形態では、更に、湿度センサ１８の検出値Ｈが所定値Ｈｔｈより高湿度である第２所定値Ｈｔｈ２以上であれば、制御部５０は、冷蔵上限温度ＴＲｏｎと冷蔵下限温度ＴＲｏｆｆの温度差ΔＲや冷凍上限温度ＴＦｏｎと冷凍下限温度ＴＦｏｆｆの温度差ΔＦが小さく設定する。
【００３２】
具体的には、制御部５０は、冷蔵モード及び冷凍モードの際に、湿度センサ１８の検出値Ｈが所定値Ｈｔｈ未満であれば、放熱ファン１４を第１回転速度Ｒ１で回転させ、湿度センサ１８の検出値Ｈが所定値Ｈｔｈ以上であって第２所定値Ｈｔｈ２（例えば、Ｈｔｈ２＝８０％）未満であれば、放熱ファン１４を第１回転速度Ｒ１より低速度の第２回転速度Ｒ２で回転させる。その際、制御部５０は、冷蔵上限温度ＴＲｏｎを４．５℃、冷蔵下限温度ＴＲｏｆｆを１．５℃、冷凍上限温度ＴＦｏｎを−１６℃、冷凍下限温度ＴＦｏｆｆを−２０℃にそれぞれ設定し、温度差ΔＲ、ΔＦを３℃、４℃にそれぞれ設定する。
【００３３】
そして、制御部５０は、冷蔵モード及び冷凍モードの際に、湿度センサ１８の検出値Ｈが所定値Ｈｔｈより高湿度である第２所定値Ｈｔｈ２以上であれば、放熱ファン１４を第２回転速度Ｒ２で回転させ、更に、冷蔵上限温度ＴＲｏｎを３．７５℃、冷蔵下限温度ＴＲｏｆｆを２．２５℃、冷凍上限温度ＴＦｏｎを−１７℃、冷凍下限温度ＴＦｏｆｆを−１９℃にそれぞれ設定し、温度差ΔＲ、ΔＦを１．５℃、２℃にそれぞれ設定する。
【００３４】
本実施形態では、冷蔵モード及び冷凍モードの際に、湿度センサ１８の検出値Ｈが所定値Ｈｔｈより高湿度である第２所定値Ｈｔｈ２以上であれば、放熱ファン１４を第１回転速度Ｒ１より低速度の第２回転速度Ｒ２で回転させることに加え、湿度センサ１８の検出値Ｈが第２所定値Ｈｔｈ２より小さい場合に比べて温度差ΔＲ、ΔＦを小さく設定するため、圧縮機２１の稼働率が高くなって放熱パイプ２６に高温の冷媒が流れやすくなり、断熱箱体５の外側における結露を抑制することができる。なお、その他の構成及び作用効果は第１の実施形態と同様であり、詳細な説明は省略する。
【００３５】
（第４実施形態）
次に、本発明の第４実施形態について説明する。本実施形態では、冷蔵モード又は冷凍モードの実行中に放熱ファン１４を第１回転速度Ｒ１より低速度の第２回転速度Ｒ２で回転させる場合に、庫外温度センサ１９で検出された庫外温度が所定温度以下であると、冷蔵モード及び冷凍モードが終了し圧縮機２１が停止した後も放熱ファン１４を動作させる。
【００３６】
具体的には、制御部５０は、圧縮機２１が動作する冷蔵モード及び冷凍モードの実行中に、湿度センサ１８の検出値Ｈが所定値Ｈｔｈ未満であれば、放熱ファン１４を第１回転速度Ｒ１で回転させる。
【００３７】
一方、湿度センサ１８の検出値Ｈが所定値Ｈｔｈ以上の場合、制御部５０は、放熱ファン１４を第１回転速度Ｒ１より低速度の第２回転速度Ｒ２で回転させるが、その際に庫外温度センサ１９で検出された庫外温度が所定温度より高い場合、冷蔵モード及び冷凍モードが終了し圧縮機２１が停止すると放熱ファン１４も停止させるが、庫外温度センサ１９で検出された庫外温度が所定温度以下の場合は、冷蔵モード及び冷凍モードが終了し圧縮機２１が停止しても、圧縮機２１の停止から所定時間だけ放熱ファン１４を動作させ続け、その後、放熱ファン１４を停止する。
【００３８】
放熱ファン１４の回転速度を第２回転速度Ｒ２に低下すると、機械室１２に設けた蒸発皿１５への送風量が少なくなるため、庫外温度が低いと蒸発皿１５に溜まった除霜水を全て蒸発させることができないおそれがあるが、本実施形態では、庫外温度が所定温度以下であると、圧縮機２１が停止した後も放熱ファン１４の動作を所定時間継続するため、放熱ファン１４の回転速度を低下させたために低減した蒸発皿１５への送風量を補填することができ、蒸発皿１５に溜まった除霜水を全て蒸発させることができる。なお、その他の構成及び作用効果は第１の実施形態と同様であり、詳細な説明は省略する。
【００３９】
（他の実施形態）
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００４０】
１…冷蔵庫、２…外箱、３…内箱、４…断熱材、５…断熱箱体、６…冷蔵貯蔵室、７…冷凍貯蔵室、８…冷蔵冷却器、９…冷蔵ファン、１０…冷凍冷却器、１１…冷凍ファン、１２…機械室、１２ａ…吸込口、１３…ダクト、１４…放熱ファン、１５…蒸発皿、１６…冷蔵温度センサ、１７…冷凍温度センサ、１８…湿度センサ、１９…庫外温度センサ、２０…冷凍サイクル、２１…圧縮機、２４…凝縮器、２６…放熱パイプ、３４…冷蔵キャピラリチューブ、４０…冷凍キャピラリチューブ、５０…制御部
【図１】
2017040398.tif 000003
【図２】
2017040398.tif 000004
【図３】
2017040398.tif 000005